(57)【要約】【課題】都市部の公園などに適用される植生パレット組立体において、工期短縮によって工事費を抑制すると同時に、植物への給水量を十分に確保する。【解決手段】貯水空間が形成された複数個の植生パレット２（２Ａ、２Ｂ、２Ｃ）を緑化エリアに面状に配置し、これらの植生パレット２を互いにネジ９で水平方向に連結する。この植生パレット２は、五面直方体に形成された枠体の底部に貯水空間を形成し、枠体の側壁の内側にマット支持突起を設け、このマット支持突起にマットを載置し、このマット上に植生土壌を敷き詰めたものである。これにより、植生パレット２を連結するだけの簡単な作業で植生パレット組立体１が出来上がり、各植生パレット２の貯水空間に一定量の水を溜めることができる。枠体の側壁に給排水口６を形成すれば、どれか１つの植生パレット２に給水されれば、その水が給排水口６を通じて他の植生パレット２にも次々と供給されていく。【選択図】　　　図１
2004057052.tif 000002
【特許請求の範囲】
【請求項１】
貯水空間（４）が形成された複数個の植生パレット（２）を緑化エリアに面状に配置し、
これらの植生パレットを互いにパレット連結手段（９）で水平方向に連結したことを特徴とする植生パレット組立体。
【請求項２】
植生パレット（２）として、
五面直方体に形成された枠体（３）の底部に貯水空間（４）を形成し、この枠体の側壁（３ａ、３ｂ、３ｃ、３ｄ）の内側にマット支持突起（５）を設け、このマット支持突起にマット（７）を載置し、このマット上に植生土壌を敷き詰めたものを採用したことを特徴とする請求項１に記載の植生パレット組立体。
【請求項３】
枠体（３）の側壁（３ａ、３ｂ、３ｃ、３ｄ）に給排水口（６）をマット（７）の下方に位置するように形成したことを特徴とする請求項２に記載の植生パレット組立体。
【請求項４】
パレット連結手段として、軸体（９ａ）にその軸方向に通水孔（９ｂ）が形成されたネジ（９）を用いたことを特徴とする請求項１から請求項３までのいずれかに記載の植生パレット組立体。
【発明の詳細な説明】
【０００１】
【発明の属する技術分野】
本発明は、都市部にある各種の建物に適用するに好適な植生パレット（プランター）組立体に関するものである。
【０００２】
【従来の技術】
近年、緑の減少に起因するヒートアイランド現象や炭酸ガスの増加による地球温暖化の問題が都市部を中心に顕在化してきており、その対策として都市部の緑化が強力に推進されつつある。しかし、都市部では緑化空間を確保することが困難であるため、建物の屋上空間を緑化のために活用する屋上緑化方式が注目されている。
【０００３】
従来この屋上緑化方式としては、緑化エリアを緑コンクリートや木製枠で囲い、遮水シートなどで遮水工を施し、排水材や濾過材、防根材を敷設した後、植生土壌で覆って植生する方式が主流となっている。このとき、植物に適量の水分を供給するため、各種の灌水装置を付設したり、植生土壌の底部に貯水装置を設置したりしている。
【０００４】
【発明が解決しようとする課題】
しかし、これでは、灌水装置や貯水装置の施工が大掛かりで面倒であるため、工期が長引いて工事費が高騰するばかりか、建物の屋上の耐荷重強度には法律上の制限があるので、植物への給水量を確保しにくいという不都合があった。
【０００５】
本発明は、このような事情に鑑み、工期短縮によって工事費を抑制すると同時に、植物への給水量を十分に確保することが可能な植生パレット組立体を提供することを目的とする。
【０００６】
【課題を解決するための手段】
まず、本発明のうち請求項１に係る発明は、貯水空間（４）が形成された複数個の植生パレット（２）を緑化エリアに面状に配置し、これらの植生パレットを互いにパレット連結手段（９）で水平方向に連結して構成される。本明細書において、五面直方体とは直方体（立方体を含む。）の六面のうち上面を欠く形状を意味する。
【０００７】
また、本発明のうち請求項２に係る発明は、上記植生パレット（２）として、五面直方体に形成された枠体（３）の底部に貯水空間（４）を形成し、この枠体の側壁（３ａ、３ｂ、３ｃ、３ｄ）の内側にマット支持突起（５）を設け、このマット支持突起にマット（７）を載置し、このマット上に植生土壌を敷き詰めたものを採用して構成される。
【０００８】
こうした構成を採用することにより、植生パレットを連結するだけの簡単な作業で植生パレット組立体（１）が出来上がるとともに、各植生パレットの貯水空間に一定量の水を溜めることが可能となるように作用する。
【０００９】
また、本発明のうち請求項３に係る発明は、上記枠体（３）の側壁（３ａ、３ｂ、３ｃ、３ｄ）に給排水口（６）を上記マット（７）の下方に位置するように形成して構成される。かかる構成により、植生パレットに給排水口の高さまで水を溜めることが可能となるとともに、どれか１つの植生パレットに給水されれば、その水が給排水口を通じて他の植生パレットにも次々と供給されていくように作用する。
【００１０】
さらに、本発明のうち請求項４に係る発明は、上記パレット連結手段として、軸体（９ａ）にその軸方向に通水孔（９ｂ）が形成されたネジ（９）を用いて構成される。かかる構成により、植生パレット間の給水を阻害することなく植生パレットを互いに連結することが可能となるように作用する。
【００１１】
なお、括弧内の符号は図面において対応する要素を表す便宜的なものであり、したがって、本発明は図面上の記載に限定拘束されるものではない。このことは「特許請求の範囲」の欄についても同様である。
【００１２】
【発明の実施の形態】
以下、本発明の実施形態を図面に基づいて説明する。
図１は本発明に係る植生パレット組立体の一実施形態を示す斜視図、
図２は図１の植生パレット組立体を構成する植生パレットの第１例（標準の植生パレット）を示す斜視図、
図３は図１の植生パレット組立体を構成する植生パレットの第２例（外周用の植生パレット）を示す斜視図、
図４は図１の植生パレット組立体を構成する植生パレットの第３例（外周角部用の植生パレット）を示す斜視図、
図５は植生パレット内のマットの設置状態を示す断面図、
図６は図１の植生パレット組立体を構成する植生パレット同士の連結部を示す断面図である。
【００１３】
この植生パレット組立体１では、図１に示すように、複数個（図１では６個）の植生パレット（プランター）２が緑化エリア（例えば、都市部の公園、建物の屋上など）に面状に配置されており、植生パレット２としては、図２から図４までに示すように、標準の植生パレット２Ａ、外周用の植生パレット２Ｂおよび外周角部用の植生パレット２Ｃの３種類がある。
【００１４】
このうち標準の植生パレット２Ａは、図２に示すように、五面直方体に形成された枠体３を有している。ここで、五面直方体とは直方体（立方体を含む。）の六面のうち上面を欠く形状を意味する。そして、この枠体３の底部には貯水空間４が形成されている。また、この枠体３の４つの側壁３ａ、３ｂ、３ｃ、３ｄの内側には、その下部にそれぞれ給排水口６が形成されているとともに、これら給排水口６の上方にマット支持突起５が周設されている。さらに、マット支持突起５には、図５に示すように、合成樹脂からなる網状または格子状のマット７がその支持脚７ａによって支持される形で載置されており、マット７上には植生土壌（図示せず）が敷き詰められている。そして、この植生土壌から枠体３の底面に達するように、毛細管現象を生じる濾過材（例えば、幅３０〜１００ｍｍで厚さ１０ｍｍ程度の不織布など）が垂設されている。
【００１５】
また、外周用の植生パレット２Ｂは、図３に示すように、植生土壌が周囲１方向に散逸することを防ぐべく枠体３の１つの側壁３ａを高くしたことと、この側壁３ａ、３ｂ、３ｃ、３ｄに複数個の固定ボルト用孔８を形成したことを除き、上述した標準の植生パレット２Ａと同様な構成を有している。すなわち、外周用の植生パレット２Ｂは、五面直方体に形成された枠体３を有しており、枠体３の底部には貯水空間４が形成されている。また、枠体３の４つの側壁３ａ、３ｂ、３ｃ、３ｄの内側には、その下部にそれぞれ給排水口６が形成されているとともに、これら給排水口６の上方にマット支持突起５が周設されている。そして、枠体３の１つの側壁３ａは上向きに延伸されて高くなっていると同時に、この側壁３ａに隣接する２つの側壁３ｂ、３ｄもその一部が上向きに延伸されて高くなっており、これらの側壁３ｂ、３ｄにはそれぞれ複数個（図３では３個）の固定ボルト用孔８が形成されている。また、マット支持突起５には、図５に示すように、合成樹脂からなる網状または格子状のマット７がその支持脚７ａによって支持される形で載置されており、マット７上には植生土壌（図示せず）が敷き詰められている。さらに、この植生土壌から枠体３の底面に達するように、毛細管現象を生じる濾過材（例えば、幅３０〜１００ｍｍで厚さ１０ｍｍ程度の不織布など）が垂設されている。
【００１６】
さらに、外周角部用の植生パレット２Ｃは、図４に示すように、植生土壌が周囲２方向に散逸することを防ぐべく枠体３の２つの側壁３ａ、３ｂを高くしたことと、この側壁３ａ、３ｂ、３ｃ、３ｄに複数個の固定ボルト用孔８を形成したことを除き、上述した標準の植生パレット２Ａと同様な構成を有している。すなわち、外周角部用の植生パレット２Ｃは、五面直方体に形成された枠体３を有しており、枠体３の底部には貯水空間４が形成されている。また、枠体３の４つの側壁３ａ、３ｂ、３ｃ、３ｄの内側には、その下部にそれぞれ給排水口６が形成されているとともに、これら給排水口６の上方にマット支持突起５が周設されている。そして、枠体３の互いに隣接する２つの側壁３ａ、３ｂは上向きに延伸されて高くなっていると同時に、残り２つの側壁３ｃ、３ｄもその一部が上向きに延伸されて高くなっており、これらの側壁３ｃ、３ｄにはそれぞれ複数個（図３では３個）の固定ボルト用孔８が形成されている。また、マット支持突起５には、図５に示すように、合成樹脂からなる網状または格子状のマット７がその支持脚７ａによって支持される形で載置されており、マット７上には植生土壌（図示せず）が敷き詰められている。さらに、この植生土壌から枠体３の底面に達するように、毛細管現象を生じる濾過材（例えば、幅３０〜１００ｍｍで厚さ１０ｍｍ程度の不織布など）が垂設されている。
【００１７】
そして、これらの植生パレット２Ａ、２Ｂおよび２Ｃは互いに、図１に示すように、固定ボルト用孔８に挿通された固定ボルト（図示せず）で緊結されているとともに、図６に示すように、給排水口６に螺合したネジ９で連結されており、このネジ９は軸体９ａにその軸方向に通水孔９ｂが形成された構造を有している。なお、これら植生パレット２Ａ、２Ｂおよび２Ｃの接合部は降雨時や散水時の漏水を防ぐための措置（例えば、接合部の間隙の上から遮水シートを被せたり、粘着テープを貼付したり、或いは粘着材で接合したりすること）が施されている。
【００１８】
以上のように、緑化エリアに植生パレット２を配置して互いに連結するだけの簡単な作業で植生パレット組立体１が出来上がるので、工期短縮によって工事費を抑制することができる。また、各植生パレット２の貯水空間４に一定量（最大で給排水口６の高さまで）の水を溜めることにより、植物への給水量を十分に確保することもできる。
【００１９】
しかも、降雨や散水によって任意の植生パレット２に給水されれば、その水が給排水口６を通じて他の植生パレット２にも次々と供給されていくので、緑化エリア全面にわたって均一に給水することが容易となる。なお、この給排水口６にはネジ９が螺合しているが、各ネジ９には通水孔９ｂが形成されているので、ネジ９が植生パレット２間の給水を阻害するような不具合は生じない。また、過剰の水は末端の植生パレット２から緑化エリア外に流出するので、常に全数の植生パレット２に一定量の水が保持されることになる。そして、末端の植生パレット２から流出する水量を測定することによって供給水量を調節することができるため、灌水の省力化を図ることが可能となる。
【００２０】
なお、植生パレット２を並べて給水した場合に、外周部に配置された植生パレット２の高くした側壁にある給排水口６から外部に水が排出されて水の有効活用が阻害される不具合を回避するため、この給排水口６に通水孔９ｂのないネジ９を螺着して、不適箇所（隣接して通路がある等の理由で排水に問題がある場所）からの外部への排出を防ぐこともできる。また、外周部に出ている複数個の給排水口６の一部に通水孔９ｂのないネジ９を螺着することにより、給排水口６からの排水を残部に限定して給水管理を容易とすることも可能である。
【００２１】
【発明の効果】
以上説明したように、本発明のうち請求項１、２に係る発明によれば、植生パレットを連結するだけの簡単な作業で植生パレット組立体が出来上がるとともに、各植生パレットの貯水空間に一定量の水を溜めることが可能となることから、工期短縮によって工事費を抑制すると同時に、植物への給水量を十分に確保することが可能な植生パレット組立体を提供することができる。
【００２２】
また、本発明のうち請求項３に係る発明によれば、植生パレットに給排水口の高さまで水を溜めることが可能となるとともに、どれか１つの植生パレットに給水されれば、その水が給排水口を通じて他の植生パレットにも次々と供給されていくことから、緑化エリア全面にわたって均一に給水することが容易となる。
【００２３】
さらに、本発明のうち請求項４に係る発明によれば、植生パレット間の給水を阻害することなく植生パレットを互いに連結することが可能となるため、利便性に優れる。
【図面の簡単な説明】
【図１】本発明に係る植生パレット組立体の一実施形態を示す斜視図である。
【図２】図１の植生パレット組立体を構成する植生パレットの第１例（標準の植生パレット）を示す斜視図である。
【図３】図１の植生パレット組立体を構成する植生パレットの第２例（外周用の植生パレット）を示す斜視図である。
【図４】図１の植生パレット組立体を構成する植生パレットの第３例（外周角部用の植生パレット）を示す斜視図である。
【図５】植生パレット内のマットの設置状態を示す断面図である。
【図６】図１の植生パレット組立体を構成する植生パレット同士の連結部を示す断面図である。
【符号の説明】
１……植生パレット組立体
２……植生パレット
３……枠体
３ａ、３ｂ、３ｃ、３ｄ……側壁
４……貯水空間
５……マット支持突起
６……給排水口
７……マット
８……固定ボルト用孔
９……ネジ（パレット連結手段）
９ａ……軸体
９ｂ……通水孔
【図１】
2004057052.tif 000003
【図２】
2004057052.tif 000004
【図３】
2004057052.tif 000005
【図４】
2004057052.tif 000006
【図５】
2004057052.tif 000007
【図６】
2004057052.tif 000008